(57)【要約】【課題】  印刷オプションの設定における利便性を向上できる画像処理装置を提供する。【解決手段】  印刷オプションを受け入れるインタフェース画面を提示する画像処理装置であって、受け入れるオプションが互いに異なっている複数のインタフェース画面を規定する複数の画面規定情報を保持し、当該保持している複数の画面規定情報のいずれか一つを選択的に読出して、当該読出した画面規定情報によって規定されるインタフェース画面を提示する画像処理装置である。【選択図】        図１
2006079177.tif 000002
【特許請求の範囲】
【請求項１】
印刷オプションを受け入れるインタフェース画面を提示する画像処理装置であって、
受け入れるオプションが互いに異なっている複数のインタフェース画面を規定する複数の画面規定情報を保持する保持手段と、
前記保持している複数の画面規定情報のいずれか一つを選択的に読出して、当該読出した画面規定情報によって規定されるインタフェース画面を提示する手段と、
を含むことを特徴とする画像処理装置。
【請求項２】
請求項１に記載の画像処理装置であって、
各オプションの設定入力欄を提示するか否かの指定を受け入れる手段と、
前記受け入れた指定に基づく画面規定情報を生成する手段と、を含み、
前記生成した画面規定情報を前記保持手段に保持させることを特徴とする画像処理装置。
【請求項３】
印刷オプションを受け入れるインタフェース画面を提示する画像処理装置であって、
受け入れるオプションが互いに異なっている複数のインタフェース画面を規定する複数の画面規定情報を保持するデータベースに接続され、
前記データベースから、前記複数の画面規定情報のいずれか一つを選択的に取得する手段と、
当該取得した画面規定情報によって規定されるインタフェース画面を提示する手段と、
を含むことを特徴とする画像処理装置。
【請求項４】
印刷オプションを受け入れるインタフェース画面を提示する画像処理方法であって、
受け入れるオプションが互いに異なっている複数のインタフェース画面を規定する複数の画面規定情報を保持する手段を備えたコンピュータを用い、
前記保持している複数の画面規定情報のいずれか一つを選択的に読出して、当該読出した画面規定情報によって規定されるインタフェース画面を提示することを特徴とする画像処理方法。
【請求項５】
印刷オプションを受け入れるインタフェース画面を提示する画像処理方法であって、
受け入れるオプションが互いに異なっている複数のインタフェース画面を規定する複数の画面規定情報を保持するデータベースに接続されたコンピュータを用い、前記データベースから、前記複数の画面規定情報のいずれか一つを選択的に取得し、当該取得した画面規定情報によって規定されるインタフェース画面を提示することを特徴とする画像処理方法。
【請求項６】
印刷オプションを受け入れるインタフェース画面を提示するプログラムであって、
受け入れるオプションが互いに異なっている複数のインタフェース画面を規定する複数の画面規定情報を保持する手段を備えたコンピュータに、
前記保持している複数の画面規定情報のいずれか一つを選択的に読出して、当該読出した画面規定情報によって規定されるインタフェース画面を提示させることを特徴とするプログラム。
【請求項７】
印刷オプションを受け入れるインタフェース画面を提示するプログラムであって、
受け入れるオプションが互いに異なっている複数のインタフェース画面を規定する複数の画面規定情報を保持するデータベースに接続されたコンピュータに、
前記データベースから、前記複数の画面規定情報のいずれか一つを選択的に取得する手順と、
当該取得した画面規定情報によって規定されるインタフェース画面を提示する手順と、
を実行させることを特徴とするプログラム。
【発明の詳細な説明】
【技術分野】
【０００１】
本発明は、プリンタ等の印刷装置に対して印刷指示を出力する画像処理装置に関する。
【背景技術】
【０００２】
近年、プリンタ等の印刷装置が高機能化しており、設定可能な印刷オプションの数も増大している。こうした印刷オプションのうちには頻繁に変更されるものがある一方で、稀にしか変更されないものもある。そこで従来から印刷オプションの設定を容易にするために、頻繁に変更する印刷オプションを提示する画面と、稀にしか変更されない印刷オプションを提示する画面とを切替え可能としたものなどがある。また、使用頻度に応じて表示順を変更するものが特許文献１に開示されている。
【特許文献１】特開平９−１０４１５１号公報
【発明の開示】
【発明が解決しようとする課題】
【０００３】
しかしながら、画面切替や表示順の変更によっては、例えば、文字校正用の印刷を行う場合と、色校正を行う場合とで、印刷オプションを変えたいといった要求に対応しにくい。すなわち画面切替の場合は、予め定められたルールで印刷オプションが分類されているため、文字校正・色校正などといった具体的な使途に配慮した分類となっていないことが多いためであり、表示順を変更する場合は、文字校正の際に高い頻度で変更される印刷オプションと、色校正の際に高い頻度で変更される印刷オプションとが異なる場合に、文字校正・色校正の双方で高い頻度で変更される印刷オプションがともに上位に表示されることとなり、結局、個々の印刷オプションを見つけ出さなければならなくなって利便性が低い。
【０００４】
本発明は上記実情に鑑みて為されたもので、印刷オプションの設定における利便性を向上できる画像処理装置を提供することを、その目的の一つとする。
【課題を解決するための手段】
【０００５】
上記従来例の問題点を解決するための本発明は、印刷オプションを受け入れるインタフェース画面を提示する画像処理装置であって、受け入れるオプションが互いに異なっている複数のインタフェース画面を規定する複数の画面規定情報を保持する保持手段と、前記保持している複数の画面規定情報のいずれか一つを選択的に読出して、当該読出した画面規定情報によって規定されるインタフェース画面を提示する手段と、を含むことを特徴としている。ここで、各オプションの設定入力欄を提示するか否かの指定を受け入れる手段と、前記受け入れた指定に基づく画面規定情報を生成する手段と、を含み、前記生成した画面規定情報を前記保持手段に保持させることとしてもよい。
【０００６】
また、上記従来例の問題点を解決するための本発明は、印刷オプションを受け入れるインタフェース画面を提示する画像処理装置であって、受け入れるオプションが互いに異なっている複数のインタフェース画面を規定する複数の画面規定情報を保持するデータベースに接続され、前記データベースから、前記複数の画面規定情報のいずれか一つを選択的に取得する手段と、当該取得した画面規定情報によって規定されるインタフェース画面を提示する手段と、を含むことを特徴としている。
【０００７】
また、上記従来例の問題点を解決するための本発明は、印刷オプションを受け入れるインタフェース画面を提示する画像処理方法であって、受け入れるオプションが互いに異なっている複数のインタフェース画面を規定する複数の画面規定情報を保持する手段を備えたコンピュータを用い、前記保持している複数の画面規定情報のいずれか一つを選択的に読出して、当該読出した画面規定情報によって規定されるインタフェース画面を提示することを特徴としている。
【０００８】
さらに上記従来例の問題点を解決するための本発明は、印刷オプションを受け入れるインタフェース画面を提示する画像処理方法であって、受け入れるオプションが互いに異なっている複数のインタフェース画面を規定する複数の画面規定情報を保持するデータベースに接続されたコンピュータを用い、前記データベースから、前記複数の画面規定情報のいずれか一つを選択的に取得し、当該取得した画面規定情報によって規定されるインタフェース画面を提示することを特徴としている。
【０００９】
さらに上記従来例の問題点を解決するための本発明は、印刷オプションを受け入れるインタフェース画面を提示するプログラムであって、受け入れるオプションが互いに異なっている複数のインタフェース画面を規定する複数の画面規定情報を保持する手段を備えたコンピュータに、前記保持している複数の画面規定情報のいずれか一つを選択的に読出して、当該読出した画面規定情報によって規定されるインタフェース画面を提示させることを特徴としている。
【００１０】
さらに上記従来例の問題点を解決するための本発明は、印刷オプションを受け入れるインタフェース画面を提示するプログラムであって、受け入れるオプションが互いに異なっている複数のインタフェース画面を規定する複数の画面規定情報を保持するデータベースに接続されたコンピュータに、前記データベースから、前記複数の画面規定情報のいずれか一つを選択的に取得する手順と、当該取得した画面規定情報によって規定されるインタフェース画面を提示する手順と、を実行させることを特徴としている。
【発明を実施するための最良の形態】
【００１１】
本発明の実施の形態について図面を参照しながら説明する。本実施の形態に係る画像処理装置１は、図１に示すように、制御部１１と記憶部１２とハードディスク部１３と操作部１４と表示部１５と通信部１６とを含んで構成され、プリンタ装置２に接続されている。
【００１２】
画像処理装置１の制御部１１は、ＣＰＵ（Central Processing Unit）等であり、記憶部１２に格納されているプログラムに従って動作しており、利用者の印刷指示を受けて印刷オプションを受け入れるインタフェース画面を提示する。そして、このインタフェース画面を介して受け入れた印刷オプションの情報と、印刷対象となっているドキュメントとをプリンタ装置２に送出する。これらの制御部１１の各処理については、後に詳しく述べる。
【００１３】
記憶部１２は、ＲＡＭ（Random Access Memory）や、ＲＯＭ（Read Only Memory）等で実現され、制御部１１によって実行されるプログラムを格納している。また、この記憶部１２は、制御部１１の処理の実行に必要となる種々の情報を保持するワークメモリとしても動作する。
【００１４】
ハードディスク部１３は、制御部１１によって実行されるプログラムを格納している。またこのハードディスク部１３は、処理対象となったドキュメントなどを保持している。
【００１５】
操作部１４は、キーボードやマウスなどであり、利用者の操作の内容を受け入れて制御部１１に出力する。表示部１５は、ディスプレイ等であり、制御部１１から入力される指示に従って利用者に提示するべき情報を表示する。
【００１６】
通信部１６は、例えばＵＳＢ（Universal Serial Bus）やネットワーク等の通信経路を介してプリンタ装置２に接続されており、制御部１１から入力される指示に従って、印刷オプションの情報や印刷対象となっているドキュメントをプリンタ装置２に送信する。
【００１７】
プリンタ装置２は、印刷オプションの情報や印刷対象となっているドキュメントを画像処理装置１から受信する。そしてプリンタ装置２は、当該印刷対象となっているドキュメントを、受信した印刷オプションの情報に基づく所定処理を行って印刷する。
【００１８】
具体的にここで印刷オプションは、用紙サイズや用紙種別（「普通紙」、「光沢紙」などの別）、縮小拡大のオプション、利用するカラーに関するオプション（使用するプロファイルやカラーマッチング方法の設定など）、印刷部数、その他の印刷処理に関わるオプションである。プリンタ装置２は、各印刷オプションで指定される条件に基づいて印刷を行うことになる。
【００１９】
ここで制御部１１による印刷オプションの入力を受け入れる処理（インタフェース画面の提示処理）について説明する。本実施の形態では、ハードディスク部１３に予めインタフェース画面を規定する画面規定情報が複数格納されている。
【００２０】
この画面規定情報の概要は図２に示すように、画面規定情報を識別する情報（名称など）と、印刷オプションごとの設定入力欄の表示有無の情報とを含む。ここで設定入力欄の表示有無の情報は、各印刷オプションの設定のためのインタフェース要素（設定入力欄）を表示するか否かを定めるものである。本実施の形態においては複数の画面規定情報のそれぞれにおいて、受け入れ可能なオプションを互いに異ならせている。
【００２１】
制御部１１は、操作部１４から印刷の指示を受けると、ハードディスク部１３に格納されている各画面規定情報から、それぞれを識別する情報を読み出すとともに、画面規定情報のいずれか一つを選択的に読出して、当該読出した画面規定情報によって規定されるインタフェース画面を提示する。このインタフェース画面上には、各画面規定情報を識別する情報を選択させるメニュー（Ｍ）を含む（図３）。なお、この時に表示されていない印刷オプションの一覧を表示する旨の指示を受けて、表示されていない印刷オプションの一覧を表示することとしてもよい。
【００２２】
利用者がこのメニューから情報を一つ選択すると、制御部１１は、当該選択された情報によって識別される画面規定情報を選択的に読み出す。そして制御部１１は当該読出した画面規定情報によって規定されるインタフェース画面を提示する。
【００２３】
例えば、「文字校正用印刷設定」の名称で、印刷部数と印刷ページ指定とを表示するものとし、他のオプションを表示しないものとした画面規定情報と、「色校正用印刷設定」の名称で、印刷ページ指定とカラーに関するオプションとを表示し、他のオプションを表示しないものとした画面規定情報と、をハードディスク部１３に格納してあるものとする。
【００２４】
このとき、利用者が印刷指示を行うと、制御部１１は、当初は、デフォルトとして定められた画面規定情報（例えば文字校正用印刷設定であるとする）を読み出し、この画面規定情報に従って、印刷部数と印刷ページ指定との設定入力欄を備えたインタフェース画面を表示する。
【００２５】
またこのインタフェース画面には、「文字校正用印刷設定」と「色校正用印刷設定」との２つの選択肢を含むメニューが含まれている。利用者がこのメニューから「色校正用印刷設定」を選択すると、制御部１１は、「色校正用印刷設定」の画面規定情報をハードディスク部１３から読み出し、この画面規定情報に従って、印刷部数と印刷ページ指定との設定入力欄を備えたインタフェース画面を表示する。つまり、印刷ページ指定とカラーに関するオプションとの設定入力欄を備えたインタフェースが表示される。
【００２６】
さらに制御部１１は、画面規定情報を生成する旨の指示の入力を受けて、設定可能なすべての印刷オプションのリストを表示する。また、リスト上の各印刷オプションに対応するチェックボタンを表示する。利用者がこのチェックボタンをオンとすると、対応する印刷オプションが表示され、オフとすると対応する印刷オプションが表示されないようになる。利用者は、このチェックボタンによる設定を終了すると、制御部１１は利用者に対して識別情報としての名称を入力するよう促し、利用者が名称を入力すると、当該名称とともに、印刷オプションごとの設定入力欄の表示有無の情報を画面規定情報としてハードディスク部１３に格納する。
【００２７】
これにより、各オプションの設定入力欄を提示するか否かの指定を受け入れ、当該受け入れた指定に基づく画面規定情報を生成できる。
【００２８】
また、既に生成した（ハードディスク部１３に格納されている）画面規定情報を読み出して、その内容を変更してもよい。この場合、設定可能なすべての印刷オプションのリストを表示し、リスト上の各印刷オプションに対応するチェックボタンを表示する。また、読み出した現在の画面規定情報に基づく設定内容に従ってチェックボタンのオンオフを制御する。
【００２９】
このチェックボタンをオンとすると、対応する印刷オプションが表示され、オフとすると対応する印刷オプションが表示されないようになる。利用者は、このチェックボタンによる設定を終了すると、読み出した画面規定情報の名称とともに、印刷オプションごとの設定入力欄の表示有無の情報を画面規定情報としてハードディスク部１３に格納して、上書する。
【００３０】
なお、ここでは画面規定情報をハードディスク部１３に格納する例を述べたが、ネットワークを介して接続されたデータベース装置に画面規定情報を格納しておき、制御部１１は、このデータベース装置から画面規定情報を取得するようにしてもよい。
【００３１】
具体的に、プリンタ装置２にプリンタサーバが接続されている場合は、このプリンタサーバに画面規定情報を格納して、このプリンタサーバをデータベースとして用いてもよい。この場合は、制御部１１は、操作部１４から印刷の指示を受けると、当該データベース装置にアクセスし、当該データベース装置に格納されている各画面規定情報から、それぞれを識別する情報を取得するとともに、画面規定情報のいずれか一つを選択的に取得して、当該読出した画面規定情報によって規定されるインタフェース画面を提示する。このインタフェース画面は、図３に示したものと同様のものであり、ここにも各画面規定情報を識別する情報を選択させるメニュー（Ｍ）を含む。
【００３２】
利用者がこのメニューから情報を一つ選択すると、制御部１１は、当該選択された情報によって識別される画面規定情報をデータベース装置から選択的に取得する。そして制御部１１は当該読出した画面規定情報によって規定されるインタフェース画面を提示する。
【００３３】
この場合も利用者が画像処理装置を用いて生成した画面規定情報をデータベース装置に保持させてもよい。この場合は、当該画面規定情報にアクセス権（他の利用者の利用可否）を設定してもよい。
【００３４】
また、画面規定情報には、各オプションを表示するか否かの設定とともに、デフォルトの設定を含めてもよい。このデフォルトの設定値は、表示しない旨の設定にも含めておいてもよい。これにより例えば利用者が設定を変更しないオプションについての既定値を定めることができ、利便性を向上できる。例えば、上述の「文字校正用印刷設定」において、カラーの設定のデフォルトを「白黒２色」としておいてもよい。このカラーの設定は、「文字校正用印刷設定」では表示されない（利用者が設定を変更できない）ので、「文字校正用印刷設定」においては、常に白黒２色で印刷が行われることになる。
【００３５】
さらに、画面規定情報には、印刷オプションの表示順序の設定を含んでもよい。この場合、当該表示順序の設定に従った順序で印刷オプションが表示される。
【図面の簡単な説明】
【００３６】
【図１】本発明の実施の形態に係る画像処理装置の構成ブロック図である。
【図２】画面規定情報の一例を表す説明図である。
【図３】本発明の実施の形態に係る画像処理装置のインタフェース画面例を表す説明図である。
【符号の説明】
【００３７】
１  画像処理装置、２  プリンタ装置、１１  制御部、１２  記憶部、１３  ハードディスク部、１４  操作部、１５  表示部、１６  通信部。
【図１】
2006079177.tif 000003
【図２】
2006079177.tif 000004
【図３】
2006079177.tif 000005